(57)【特許請求の範囲】
【請求項１】
無停電電源装置の制御回路と通信インタフェースを介してデータ通信を行う中央演算装置と、モデム回路と、を備えたコンピュータに、商用電源の供給停止時にバックアップ電源からの電力を供給する無停電電源装置において、
停電検出時、前記制御回路からの指示を受け第１の制御信号を送出する信号発生回路と、
電話回線と前記信号発生回路の出力とを入力し、前記制御回路からの切替指示を受けて、通常動作時には前記電話回線を選択し、停電検出時には前記信号発生回路から出力される前記第１の制御信号を電話線を介して前記モデム回路に出力する回線切替回路と、
を備え、
前記無停電電源装置からの前記第１の制御信号を受け取った前記コンピュータの前記モデム回路は、前記コンピュータがサスペンド又はスリープ状態にあるとき、前記中央演算装置に対して第２の制御信号を送出して起動して前記サスペンド又はスリープ状態を解除する制御を行い、
前記無停電電源装置は、前記コンピュータが起動したあと、前記通信インタフェースを介して通信を行って停電検出信号を送信し、前記コンピュータにシャットダウン処理を行わせる、ことを特徴とする無停電電源装置。
【請求項２】
商用電源の供給停止時にバックアップ電源からの電力を出力する無停電電源装置と、
前記無停電電源装置から電源の供給を受けるコンピュータであって、前記無停電電源装置の制御回路と通信インタフェースを介してデータ通信を行う中央演算装置と、モデム回路と、を備えたコンピュータと、
を有し、
前記無停電電源装置は、
停電が検出された時に、前記制御回路からの指示を受け第１の制御信号を生成する信号発生回路と、
電話回線と前記信号発生回路の出力とを入力し、前記制御回路からの切替指示を受けて、通常動作時には前記電話回線を選択し、停電検出時には前記信号発生回路から出力される前記第１の制御信号を電話線を介して前記モデム回路に出力する回線切替回路と、
を備え、
前記コンピュータにおいて、前記第１の制御信号を受け取った前記モデム回路は、前記コンピュータがサスペンド又はスリープ状態にあるとき、前記中央演算装置に対して第２の制御信号を送出して起動させ、
前記無停電電源装置は、前記コンピュータが起動したあと、前記通信インタフェースを介して通信を行って停電検出信号を送信し、前記コンピュータにシャットダウン処理を行わせる、ことを特徴とする情報処理システム。
【発明の詳細な説明】
【０００１】
【発明の属する技術分野】
本発明は、無停電電源装置に関し、特に、コンピュータに用いられる無停電電源装置及びシステムに関する。
【０００２】
【従来の技術】
無停電電源装置は、停電時あるいは過負荷によるブレーカ断など商用電源の供給停止時にバッテリの直流をインバータにより交流に変換して供給しコンピュータを稼動させる。かかる無停電電源装置のうちコンピュータと通信を行う手段を有する装置に関する刊行物として、例えば特開平０６−１６１６１０号公報等が参照される。上記特開平０６−１６１６１０号公報には、バックアップ電源を備えた無停電電源装置から電力の供給を受けて稼動するコンピュータ設備において、無停電電源装置に自己の運転状態を伝送する通信手段を備え、コンピュータに無停電電源装置との間で情報を伝送する通信部と、無停電電源装置の監視に必要なデータが格納された記憶部、通信部を通して無停電電源装置から取り込んだ情報と記憶部の監視データに基づいてデータ処理するデータ処理部を備え、このデータ処理部で無停電電源装置の停電が判定されると、別途オペレータにより該記憶部に格納された手順に従いコンピュータシステムで動作中のアプリケーションを正常終了させ、オペレーティングシステム（ＯＳ）のシャットダウン処理を行い、ＯＳ停止後、無停電電源装置の運転を停止させるようにしたコンピュータ設備が開示されている。
【０００３】
また、停電時に停電検出信号を無停電電源装置からコンピュータ側へＲＳ−２３２Ｃ等の入出力ポートを介して送る構成の装置が、例えば特開平５−５３６９５号公報に従来の技術として説明されている。このように、データ端末装置（ＤＴＥ；data terminal equipment）と回線終端装置(ＤＣＥ；data circuit terminating equipment)との間の物理インタフェース(シリアル)であるＲＳ−２３２Ｃインタフェース等が、従来より、コンピュータシステムと無停電電源装置との通信手段として用いられている。
【０００４】
ところで、コンピュータシステムにおいては、オペレータ等が操作しないときは、低消費電力制御として、サスペンドやスリープ制御が行われ、消費電力の低減が図されている。例えばキーボード等からの操作入力が行われない場合、サスペンドやスリープ制御の一つとして、表示装置の画面の輝度を低下させるか電源をオフする等の制御が行われる。またＲＳ−２３２Ｃインタフェース等による通信接続において、サスペンドやスリープ制御下では、通信接続の維持は行われず、通信が切断される場合がある。
【０００５】
上記したように、無停電電源装置を使用するコンピュータシステムにおいては、ＲＳ−２３２Ｃインタフェース等の通信インタフェースを介してコンピュータと通信を行い、停電時に、無停電電源装置からの停電検出信号により、コンピュータのシャットダウンを行っている。
【０００６】
しかしながら、コンピュータシステムにおいてサスペンドやスリープ制御が行われている場合には、コンピュータ側でＲＳ−２３２Ｃインタフェースの接続を切断してしまうため、無停電電源装置からの停電検出信号を認識できず、正常にシャットダウン処理が行われないまま、コンピュータシステムの電源がオフしてしまう。
【０００７】
このため、無停電電源装置を使用する場合には、コンピュータシステムにおいて、サスペンドやスリープ制御を行うことができない、という問題点があった。
【０００８】
【発明が解決しようとする課題】
したがって、本発明が解決しようとする課題は、無停電電源装置を使用した場合でも、コンピュータシステムでサスペンドやスリープ制御を可能にする装置を提供することにある。
【０００９】
【課題を解決するための手段】
上記課題を解決するための手段を提供する本発明の一のアスペクトに係る無停電電源装置は、商用電源の供給停止時にバックアップ電源からの電力をコンピュータに供給する無停電電源装置において、停電を検出したときに、停電検出信号を前記コンピュータに出力する前に、前記コンピュータを起動し前記停電検出信号を受付可能にする手段を備えている。本発明によれば、コンピュータが停電検出信号を受け付けない、サスペンドやスリープ制御の状態にあるとき、コンピュータを起動させた後に、前記コンピュータが前記無停電電源装置からの停電検出信号を受信しシャットダウン処理を実行可能としている。
【００１０】
本発明の一のアスペクトに係る無停電電源装置は、商用電源の供給停止時にバックアップ電源からの電力をコンピュータに供給し、前記コンピュータとデータ通信用の通信インタフェースを介して通信を行う無停電電源装置において、停電検出時、前記データ通信用の通信インタフェースとの別の通信インタフェースを介して前記コンピュータに対して第１の制御信号を送出する手段を備え、前記第１の制御信号を受け取った前記コンピュータでは、前記コンピュータがサスペンド又はスリープ状態にあるときは、サスペンド又はスリープ状態を解除する制御を行って起動し、前記無停電電源装置は、起動された前記コンピュータとの間で前記データ通信用の通信インタフェースを介して通信を行い、前記コンピュータにシャットダウン処理を行わせる。
【００１１】
上記本発明に係る無停電電源装置において、前記データ通信用の通信インタフェースとの別の通信インタフェースが電話回線からなる。前記第１の制御信号は、前記コンピュータのモデム回路に送信されるリング信号からなり、前記リング信号を受け取った前記モデム回路では、前記コンピュータがサスペンド又はスリープ状態にあるときは、前記コンピュータの中央演算装置を起動させるためのウエイクアップ信号を送信し前記コンピュータを起動させる。
【００１２】
【発明の実施の形態】
本発明の実施の形態について図面を参照して詳細に説明する。本発明に係る無停電電源装置は、商用電源の供給停止時にバッテリ（４）の直流をインバータ（５）により交流に変換してコンピュータ（情報処理装置）（１０）に電源を供給し、コンピュータ（１０）とデータ通信用の通信インタフェースを介して通信を行う無停電電源装置（１）において、停電を検出したとき、データ通信用の通信インタフェースを介して停電検出信号をコンピュータ（１０）に出力するまえに、コンピュータを起動させる手段を備え、コンピュータ（１０）がサスペンドやスリープ制御の状態でも、無停電電源装置（１）からの停電検出信号を受信しシャットダウン処理を実行可能としている。
【００１３】
無停電電源装置（１）において、停電検出時、制御回路（６）が信号発生回路（７）から回線切替回路（９）を通して、コンピュータ（１０）のモデム回路（１３）にリング信号を出力し、モデム回路（１３）は、コンピュータ（１０）がサスペンド、スリープ制御状態にあるときは、中央演算装置（１２）に対して起動用の信号（Ｗａｋｅ  ｕｐ信号）を出力し、中央演算装置（１２）を起動させ、コンピュータ（１０）がサスペンド、スリープ状態が解除され、起動してから、通信インタフェースでコンピュータ（１０）の中央演算装置（１２）と通信を行って停電検出信号を送信し、停電検出信号を受けたコンピュータ装置（１０）では、オペレーティングシステム（ＯＳ）のシャットダウン処理を行う。
【００１４】
【実施例】
本発明の一実施例について説明する。図１は、本発明の一実施例のシステム構成を示す図である。図１を参照すると、この実施例において、コンピュータ装置（情報処理装置あるいはコンピュータシステム）１０に対して電源を供給する無停電電源装置１は、商用電源を入力とする電源用ＥＭＩ（electromagnetic interference）フィルタ２と、直流電源を供給するバッテリ４と、直流電源を交流電源に変換するＤＣ／ＡＣインバータ５と、電源用ＥＭＩフィルタ２とＤＣ／ＡＣインバータ５の出力を入力として切替出力する出力切替回路３と、停電時にリング信号を発生させる信号発生回路７と、電話回線に接続される回線用ＥＭＩフィルタ８と、信号発生回路７の出力と回線用ＥＭＩフィルタ８の出力を切替える回線切替回路９と、信号発生回路７の制御、及び出力切替回路３と回線切替回路９の切替を制御する制御回路６とを備えている。
【００１５】
コンピュータ装置１０は、ＡＣ／ＤＣ電源回路１１と、中央演算装置（ＣＰＵ）１２と、モデム回路１３とを備えている。交流電源を受けて直流電源を供給するＡＣ／ＤＣ電源回路１１は、無停電電源装置１の出力切替回路３の出力に電源ケーブルで接続されており、コンピュータ装置１０内の装置に直流電源を供給する。中央演算装置１２は、無停電電源装置１の制御回路６にＲＳ−２３２Ｃケーブルで接続されている。モデム回路１３は、無停電電源装置１の回線切替回路９にモジュラーケーブル（電話線）で接続されている。モデム回路１３は、電話用モデムであり、データの変復調、キャリア再生、自動等化などを行う。
【００１６】
無停電電源装置１において、出力切替回路３は、制御回路６からの切替制御信号が入力されており、停電時や商用電源異常を制御回路６が検出した場合、バッテリ４からの出力に切り替え、出力切替回路３の出力は、電源ケーブルを介して、コンピュータ装置１０のＡＣ／ＤＣ電源回路１１に供給される。
【００１７】
コンピュータ装置１０でデータ通信を行うため、電話回線から無停電電源装置１の回線用ＥＭＩフィルタ８に入力される。
【００１８】
無停電電源装置１の回線切替回路９は、制御回路６の切替制御信号を受けて、停電時には、通常の電話回線から、信号発生回路７の出力に切り替え、モジュラーケーブルに出力する。
【００１９】
無停電電源装置１の制御回路６は、コンピュータ装置１０の中央演算装置１２とＲＳ−２３２Ｃケーブルで接続されており、コンピュータ装置１０の中央演算装置１２との間で、データ通信を行う。
【００２０】
次に、本発明の一実施例の動作について説明する。通常時、無停電電源装置１は、商用電源のサージ、ノイズ等を電源用ＥＭＩフィルタ２で除去したあとにコンピュータ装置１０の負荷装置に供給している。回線用ＥＭＩフィルタ８は、電話回線のノイズ除去を行う。
【００２１】
停電時に、無停電電源装置１の制御回路６は、バッテリ４とＤＣ／ＡＣインバータ５で生成される近似正弦波を、出力切替回路３から、コンピュータ装置１０に供給する。
【００２２】
無停電電源装置１の回線切替回路９は、通常時は、電話回線に接続されているが、停電時には信号発生回路７に切り替えて、リング信号を、コンピュータ装置１０のモデム回路１３に送信する。
【００２３】
コンピュータ装置１０のモデム回路１３は、リング信号を受信したときに、コンピュータ装置１０において、サスペンドやスリープ制御を行っている場合にのみ、中央処理装置１２に対して起動用のウイエクアップ（Ｗａｋｅ  ｕｐ）信号を送信する。
【００２４】
無停電電源装置１は、コンピュータ装置１０にリング信号を送信したあと、一定の遅延時間を図示されないタイマカウンタでカウントした後、制御回路６がコンピュータ装置１０の中央演算装置１２と、ＲＳ−２３２Ｃインタフェースでデータ通信を開始し、停電検出信号を送信する。
【００２５】
無停電電源装置１からの停電検出信号を受信したコンピュータ装置１０では、中央演算装置１２が、動作中のオペレーティングシステムのシャットダウン処理を開始する。コンピュータ装置１０のシャットダウン処理が完了したあと、無停電電源装置１は、コンピュータ装置１０への出力をオフする。
【００２６】
このように、本実施例においては、停電を検出したとき、停電検出信号を出力するまえに、コンピュータを起動させ、コンピュータがサスペンドやスリープ制御の状態でも、無停電電源装置からの停電検出信号を受信し、正常にシャットダウン処理を行うことができる。
【００２７】
なお、本発明は、上記実施例の構成にのみ限定されるものでなく、特許請求の範囲の各請求項の範囲内で当業者であればなし得るであろう各種、変形を含むことは勿論である。例えば、電話線を介したリング信号の送出、リング信号を受信したモデム回路によるウエイクアップ（Ｗａｋｅ  ｕｐ）信号の中央演算装置への送出は、等価な機能を果たし得るものであれば、他のネットワークを介した呼出し信号の送信と、該信号の受信回路によるウエイクアップ信号の中央演算装置への送出に置き換えてもよい。またデータ通信用インタフェースはＲＳ−２３２Ｃインタフェース以外の任意のインタフェースで接続してもよい。
【００２８】
【発明の効果】
以上説明したように、本発明によれば、コンピュータで無停電電源装置とのデータ通信を行う場合に、コンピュータがサスペンドやスリープ制御状態でも、安全にオペレーティングシステムのシャットダウン処理が行うことができる、という効果を奏する。
【００２９】
その理由は、本発明においては、無停電電源装置がコンピュータに停電検出信号を送信するまえに、コンピュータ装置内のモデム回路にリング信号を送信し、サスペンドやスリープ状態から復帰させている、ためである。
【００３０】
本発明によれば、コンピュータで一般的に用いられているモデム回路の機能が利用可能とされており、回路構成を簡易化し、コストの低減を図ることができる。
【図面の簡単な説明】
【図１】本発明の一実施例の構成を示す図である。
【符号の説明】
１  無停電電源装置
２  電源用ＥＭＩフィルタ
３  出力切替回路
４  バッテリ
５  ＤＣ／ＡＣインバータ
６  制御回路
７  信号発生回路
８  回線用ＥＭＩフィルタ
９  回線切替回路
１０  コンピュータ
１１  ＡＣ／ＤＣ電源回路
１２  中央演算装置
１３  モデム回路
【図１】
0003686863.tif 000002